(57)【要約】【課題】集合場所等に設置された大型ディスプレイ画面に対して、一般の人が携帯電話を使用して画面の操作や画像の送信を可能とする参加型ディスプレイシステムを得る。【解決手段】画像情報又は文字情報を表示するディスプレイ画面１と、ディスプレイ画面に接続する撮像手段５と、撮像手段を上下左右に操作するジャイロ機構６と、赤外線発信装置を有する携帯電話からの赤外線信号を受信可能とする赤外線受信装置２を設置したアクセスポイント３と、前記アクセスポイントにおいて受信した前記赤外線受信装置の信号に基づき前記ディスプレイ画面への送信信号や前記ジャイロ機構の操作を行う操作信号を供給する制御装置４とを具備することで、ディスプレイ画面において撮像手段が表示する画面を携帯電話で遠隔操作したり、携帯電話からの画像や文字情報を表示させることを可能とする。【選択図】    図２
2005043767.tif 000002
【特許請求の範囲】
【請求項１】
画像情報又は文字情報を表示するディスプレイ画面と、
赤外線発信装置を有する携帯電話からの赤外線信号を受信可能とする赤外線受信装置を設置したアクセスポイントと、
前記アクセスポイントにおいて受信した前記赤外線受信装置の信号に基づき前記ディスプレイ画面への送信信号を制御する制御装置と
を具備することを特徴とする参加型ディスプレイシステム。
【請求項２】
撮像手段と、該撮像手段を上下左右に操作するジャイロ機構とを備え、
前記制御装置において前記赤外線受信装置を介して携帯電話から送信された操作信号に基づき前記ジャイロ機構により前記撮像手段が制御されるとともに、
前記制御装置は、予め設定された時間内に前記撮像手段を操作する権利を操作権として設定し、
前記赤外線受信手段は、赤外線信号の受信に際して前記操作権の空きがある場合に当該赤外線信号について前記操作権を有する操作信号として選択し、この操作信号により前記制御装置における制御が行われる請求項１に記載の参加型ディスプレイシステム。
【請求項３】
前記アクセスポイントを複数設定した請求項２記載の参加型ディスプレイシステム。
【請求項４】
携帯電話側からの情報をディスプレイ画面に表示可能とし、携帯電話から受信した信号を一時的に記憶し、受信順にディスプレイ画面に表示する記憶手段を備えた請求項１に記載の参加型ディスプレイシステム。
【請求項５】
前記アクセスポイントを複数設定するとともに前記ディスプレイ画面を複数設け、各画面で携帯電話側からの情報を表示可能とした請求項４に記載の参加型ディスプレイシステム。
【発明の詳細な説明】
【技術分野】
【０００１】
本発明は、ディスプレイ画面を有するディスプレイシステムに関し、特に、広場,待ち合わせ場所等に設置されたディスプレイ画面に対して、周囲にいる一般の人が画面操作を可能としたり、一般の人からの文字情報等を受信して表示可能とする参加型ディスプレイシステムに関する。
【背景技術】
【０００２】
広場や待ち合わせ場所等、大勢の人が集合する場所においては、大型のディスプレイ画面が設置され、ディスプレイ画面に、例えばＣＭ広告等を流すことが行われている。
【発明の開示】
【発明が解決しようとする課題】
【０００３】
しかしながらこのディスプレイ画面は、一方的にＣＭ広告を流すだけで、例えば、その場所に集合している任意の人からの情報が表示できる等、一般の人が参加できるようなシステムではなかった。
【０００４】
本発明は上記実情に鑑みてなされたもので、一般の人が携帯電話を使用して大型ディスプレイを利用することができる参加型ディスプレイシステムを提供することを目的とする。
【課題を解決するための手段】
【０００５】
上記目的を達成するため請求項１の参加型ディスプレイシステムは、画像情報又は文字情報を表示するディプレイ画面と、赤外線発信装置を有する携帯電話からの赤外線信号を受信可能とする赤外線受信装置を設置したアクセスポイントと、  前記アクセスポイントにおいて受信した前記赤外線受信装置の信号に基づき前記ディスプレイ画面への送信信号を制御する制御装置とを具備することを特徴としている。
【０００６】
請求項２は、請求項１に記載の参加型ディスプレイシステムにおいて、撮像手段と、該撮像手段を上下左右に操作するジャイロ機構とを備え、次の構成を含むことを特徴としている。
前記制御装置において前記赤外線受信装置を介して携帯電話から送信された操作信号に基づき前記ジャイロ機構により前記撮像手段が制御される。
前記制御装置は、予め設定された時間内に前記撮像手段を操作する権利を操作権として設定する。
前記赤外線受信手段は、赤外線信号の受信に際して前記操作権の空きがある場合に当該赤外線信号について前記操作権を有する操作信号として選択し、この操作信号により前記制御装置における制御が行われる。
【０００７】
請求項３は、請求項２記載の参加型ディスプレイシステムにおいて、前記アクセスポイントを複数設定したことを特徴としている。
【０００８】
請求項４は、請求項１記載の参加型ディスプレイシステムにおいて、携帯電話側からの情報をディスプレイ画面に表示可能とし、携帯電話から受信した信号を一時的に記憶し、受信順にディスプレイ画面に表示する記憶手段を備えたことを特徴としている。
【０００９】
請求項５は、請求項４に記載の参加型ディスプレイシステムにおいて、前記アクセスポイントを複数設定するとともに前記ディスプレイ画面を複数設け、各画面で携帯電話側からの情報を表示可能としたことを特徴としている。
【発明の効果】
【００１０】
本発明の参加型ディスプレイシステムによれば、携帯電話から送信される赤外線信号を赤外線受信手段で受信し、この信号を基にディスプレイ画面の制御が行われるので、ジャイロ機構により撮像方向が操作された画像をディスプレイ画面に表示させたり、携帯電話側の文字情報をディスプレイ画面に表示させることが可能となり、画像表示について一般の人が参加できるシステムとすることができる。
【発明を実施するための最良の形態】
【００１１】
本発明を実施するための最良の形態としての参加型ディスプレイシステムについて、図面を参照しながら説明する。
この参加型ディスプレイシステムは、図１及び図２に示されるように、画像情報又は文字情報を表示するディプレイ画面（モニタースクリーン）１と、赤外線信号を受信可能とする赤外線受信装置２が設置された複数のアクセスポイント３と、ディスプレイ画面１及び各アクセスポイント３の赤外線受信装置２に電気的に接続され各アクセスポイント３において受信した赤外線受信装置２の信号に基づき前記ディスプレイ画面１への送信信号を制御する制御装置４を有している。
【００１２】
また、ディスプレイ画面１には、例えば待ち合わせ場所を俯瞰する位置に設置されたＣＣＤカメラ等の撮像手段５からの画像が入力可能なようになっており、この撮像手段５は近傍に設置されたジャイロ機構６により上下左右に撮像方向を調節できるように構成されている。
【００１３】
各アクセスポイント３に設置された赤外線受信装置２には、図３に示されるように、正面パネル上部に赤外線受信窓２１が設けられ、赤外線受信装置２の前に立って操作される携帯電話１０から送信される赤外線信号が受信できるように構成されている。また、赤外線受信装置２にはモニター部２２が設けられ、ディスプレイ画面１と同じ画像が表示されるようになっている。
【００１４】
このシステムで使用される携帯電話１０は、赤外線信号の送信機能を有しており、赤外線送信（リモコン）モードに切り替えることにより赤外線信号が赤外線ポート１１から送信可能なようになっている。すなわち、携帯電話１０には、赤外線送信（リモコン）モードにすることで遠隔操作を行うことができるプログラムが格納されている。また、遠隔操作用のプログラムが格納されていない場合であっても、赤外線受信装置２に対して操作を行うことで赤外線受信装置２から遠隔操作用プログラムをダウンロードできるようになっている。
【００１５】
遠隔操作用プログラムが格納若しくはダウンロードされている携帯電話１０では、表示部１２に表示された画像や文字を携帯電話の送信ボタン１３を押すことで赤外線信号として送信可能であるとともに、携帯電話側の複数のダイヤルボタン１４により前記した撮像手段５の上下（例えば、ダイヤルボタンの「２」「８」に対応）・左右（例えば、ダイヤルボタンの「４」「６」に対応）・ズーム（例えば、ダイヤルボタンの「７」「９」に対応）等のリモコン操作を行うことができる赤外線信号が送信できる。
【００１６】
前記した制御装置４では、予め設定された時間（例えば３分間）内に撮像手段５を赤外線信号により操作する権利が操作権として設定されている。この操作権は、撮像手段５に対応して設定され、撮像手段が１個である場合には操作権は一つとなる。また、操作権の「空き」状態は、ディスプレイ画面に表示されたモニター部で確認できるように構成され、例えばモニター部が点灯している場合には、操作権が使用されている状態を示すようにしている。
【００１７】
また、各アクセスポイント３に設置された赤外線受信装置２には、次の操作権が獲得可能な操作予約権が取得可能に設定されている。すなわち、操作権が使用されている状態（一つのアクセスポイント３の赤外線受信装置２で撮像手段５の操作が行われている状態）で、他のアクセスポイント３の赤外線受信装置２に対して携帯電話１０から操作を行うと、現在使用中（操作権行使中）であることがモニター部２２に表示されるとともに、各アクセスポイントの赤外線受信装置２について一つの操作予約権が設定される。
【００１８】
操作予約権は、アクセスの早い順に次の操作権が付与されるようになっており、アクセスポイント３の中で、何番目に操作権が付与されるかについては、各赤外線受信装置２のモニター部２２に表示されるようになっている。操作予約権が予約された赤外線受信装置２が操作権を獲得した場合には、その旨がモニター部２２に表示され、その後に携帯電話１０による遠隔操作が可能となる。
【００１９】
制御装置４にはサーバー７が設置され、携帯電話１０から受信した信号が画像や文字信号である場合に、これらを一時的に記憶し、受信順にディスプレイ画面１に表示する記憶手段を有している。また、記憶手段に記録する前に、文字情報についての検索処理が行われ、表示に適さない文字情報が含まれていた場合には、これを削除するソフトが組み込まれている。
【００２０】
次に、上述した参加型ディスプレイシステムの使用方法について説明する。
携帯電話１０によるリモコン操作で撮像手段５を操作し、自分が写したい画像をディスプレイ画面１に表示させる場合について説明する。
先ず、携帯電話１０をリモコンモードに切り替え、各ボタン１４を押すことで赤外線信号が送信できる状態にする。
【００２１】
アクセスポイント３の赤外線受信装置２の前に対峙し、赤外線受信窓２１に携帯電話１０の赤外線ポート１１を向けて各ボタンを操作し、赤外線受信装置２に信号を送信する。赤外線受信装置２では、赤外線信号の受信を受けて制御装置４との間で赤外操作権の「空き」があるかどうかを判断し、「空き」が場合に当該赤外線信号について前記操作権を有する操作信号として選択する。そして、この操作信号により前記制御装置４を介して撮像手段５の制御が行われ、携帯電話１０側からの信号に基づき撮像方向等が操作された画像がディスプレイ画面１に表示される。前記した操作権は、予め設定された時間（例えば３分間）のみ有効であるので、一定時間が経過すると操作ができなくなる。
【００２２】
続いて、携帯電話１０側の画像情報や文字情報をディスプレイ画面１に表示させる場合について説明する。
携帯電話１０をリモコンモードに切り替え、表示部１２に送信したい画像や文字を表示させる。そして、この状態でアクセスポイント３の赤外線受信装置２に対峙して携帯電話１０の送信ボタン１３を押すことで画面情報を赤外線信号として送信する。
【００２３】
赤外線受信装置２では、赤外線信号の受信を受けて制御装置４を介してサーバー７に転送する。サーバー７では表示に適さないものを拒否するとともに、送信順に順次記録され、ディスプレイ画面１では、予め設定された時間（例えば３分間）において順次表示される。
【００２４】
ディスプレイ画面１での文字表示の仕方は、例えば図４に示すように、画像の大部分にＣＭ映像を表示し、下側部分に複数の液晶画素部８を設け、液晶画素部の点滅状態を制御することにより送信された文字データをスクロール表示する。
【００２５】
上述の参加型ディスプレイシステムでは、一つのディスプレイ画面１を設置していたが、ディスプレイ画面を複数に分割し、各分割画面で携帯電話側からの画像や文字情報を表示可能なようにしてもよい。この場合、制御装置において、受信した赤外線信号からの情報を各画面に順次振り分ける処理が行われる。
【図面の簡単な説明】
【００２６】
【図１】本発明の参加型ディスプレイシステムの全体構成を示すブロック図である。
【図２】参加型ディスプレイシステムの構成を示すブロック図である。
【図３】赤外線受信装置の一例を示す斜視説明図である。
【図４】ディスプレイ画面の一例を示す正面説明図である。
【符合の説明】
【００２７】
１  ディスプレイ画面
２  赤外線受信装置
３  アクセスポイント
４  制御装置
５  撮像手段
６  ジャイロ機構、
７  サーバー
８  液晶画素部
１０  携帯電話
１１  赤外線ポート
１２  表示部
１３  送信ボタン
１４  ダイヤルボタン
２１  赤外線受信窓
２２  モニター部
【図１】
2005043767.tif 000003
【図２】
2005043767.tif 000004
【図３】
2005043767.tif 000005
【図４】
2005043767.tif 000006